(57)【要約】【課題】ループアンテナの開口面積を確保することによって通信特性を維持しつつ、開口部分による基板のロスを少なくすることによってコスト増を抑制することが可能なアンテナ装置及び通信装置を提供する。【解決手段】アンテナモジュール１０は、アンテナ基板２と、アンテナ基板２に形成されたアンテナコイル３とを備える。そして、アンテナコイル３は、アンテナ基板２を貫通して形成された切れ目１１〜１３に沿って、切れ目１１〜１３を取り巻くように形成されており、アンテナ基板２が切れ目１１〜１３から展開されて、形成される開口部を有する。【選択図】図２
2015046705.tif 000002
【特許請求の範囲】
【請求項１】
近距離無線通信用のアンテナ装置において、
基板と、
上記基板に形成されるループアンテナとを備え、
上記ループアンテナは、上記基板を貫通して形成される切れ目に沿って、該切れ目を取り巻くように形成されており、該基板が該切れ目から展開されて形成される開口部を有することを特徴とするアンテナ装置。
【請求項２】
上記ループアンテナは、上記展開される基板の折り曲げ位置では、配線幅が狭いことを特徴とする請求項１記載のアンテナ装置。
【請求項３】
上記基板は、上記展開される基板の折り曲げ位置に沿って、折り曲げ線が形成されていることを特徴とする請求項１又は２記載のアンテナ装置。
【請求項４】
上記折り曲げ線は、上記基板を貫通するスリット又は孔を含むことを特徴とする請求項３記載のアンテナ装置。
【請求項５】
上記切れ目は、第１の切れ目と、該第１の切れ目とは異なる方向で、該第１の切れ目に一方の端が形成された第２の切れ目と、該第２の切れ目とは異なる方向で、該第２の切れ目の他方側に形成された第３の切れ目とを含むことを特徴とする請求項１記載のアンテナ装置。
【請求項６】
上記第１〜第３の切れ目は、ほぼ直線状であり、
上記第２及び第３の切れ目のそれぞれは、そのほぼ中央で上記第１の切れ目の両端それぞれに接続され、
上記第１及び第３の切れ目の方向は、上記第２の切れ目の方向とはほぼ直角であり、
上記第１及び第３の切れ目の長さは、ほぼ同一であることを特徴とする請求項５記載のアンテナ装置。
【請求項７】
近距離通信用のアンテナ装置の製造方法において、
マザー基板を準備し、
上記マザー基板に該マザー基板を貫通する切れ目を形成し、
上記切れ目に沿って該切れ目を取り巻くようにアンテナコイルを形成し、
上記アンテナコイルの外周に沿って上記マザー基板を切断して、アンテナコイルが形成された基板を有する展開前のアンテナ装置を形成し、
上記展開前のアンテナ装置の上記切れ目から切り開くように上記基板を展開するアンテナ装置の製造方法。
【請求項８】
上記切れ目は、第１の切れ目と、該第１の切れ目とは異なる方向で、該第１の切れ目に一方の端が形成された第２の切れ目と、該第２の切れ目とは異なる方向で、該第２の切れ目の他方側に形成された第３の切れ目とを含み、
上記第１〜第３の切れ目は、ほぼ直線状であり、
上記第２の切れ目は、上記第１及び第３の切れ目のそれぞれほぼ中央に形成され、
上記第１及び第３の切れ目の方向は、上記第２の切れ目の方向とはほぼ直角であり、
上記第１及び第３の切れ目の長さは、ほぼ同一であることを特徴とする請求項７記載の製造方法。
【請求項９】
上記アンテナコイルを形成することは、複数のアンテナコイルを形成することを含み、
上記複数のアンテナコイルのそれぞれは、上記第２の切れ目同士がほぼ平行になるように隣接して配置され、隣接する上記第１及び第３の切れ目同士が千鳥状に配置されることを特徴とする請求項８記載の製造方法。
【発明の詳細な説明】
【技術分野】
【０００１】
本発明は、電子機器に組み込まれ、発信器から発信される磁界を受けて通信可能となるアンテナ装置及び通信装置に関する。
【背景技術】
【０００２】
携帯電話機などの電子機器において、近距離非接触通信の機能を搭載するため、ＲＦＩＤ（Radio Frequency Identification）用のアンテナモジュールが用いられている。
【０００３】
このアンテナモジュールは、リーダライタなどの発信器に搭載されたアンテナコイルと誘導結合を利用して通信を行っている。すなわち、このアンテナモジュールは、リーダライタからの磁界をアンテナコイルが受けることによって、それを電力に変換して通信処理部として機能するＩＣを駆動させることができる。
【０００４】
アンテナモジュールは、確実に通信を行うため、リーダライタからのある値以上の磁束をアンテナコイルで受ける必要がある。そのために、従来例に係るアンテナモジュールでは、携帯電話機の筐体にループコイルを設け、このコイルでリーダライタからの磁束を受けている。
【０００５】
ところが、携帯電話機などの電子機器に組み込まれたアンテナモジュールは、機器内部の基板やバッテリパックなどの金属が、リーダライタからの磁界を受けることによって発生する渦電流のために、リーダライタからの磁束が跳ね返されてしまうため、ループコイルに届く磁束が少なくなる。ループコイルに到達する磁束が少なくなるため、アンテナモジュールは、必要な磁束を集めるためにある程度の大きさのループコイルが必要となり、さらに、磁性シートを用いて磁束を増やすことも必要となる。
【０００６】
上述したように、携帯電話機などの電子機器の基板に流れる渦電流によってリーダライタからの磁束が跳ね返されるが、電子機器の筐体表面には、基板の面方向に向いている磁界の成分があり、この成分を受けることによってアンテナとして機能するというものが特許文献１において提案されている。具体的に、特許文献１では、コイルの占有面積を少なくするため、フェライトコアにコイルを巻いたアンテナ構造が提案されている。
【先行技術文献】
【特許文献】
【０００７】
【特許文献１】特開平１１−３２８３４３号公報
【特許文献２】特開２００１−２３６４７９号公報
【発明の概要】
【発明が解決しようとする課題】
【０００８】
ところで、上述のようなアンテナモジュールに用いるループコイルは、ポリイミド等の可撓性樹脂素材を含む基板上にＣｕ箔を印刷技術等を用いて渦巻状に形成される。渦巻状に形成されたループコイルを外部回路に接続するために、接続端子を引き出す必要があるが、一般的には、単位面積当たりのコストが高い両面基板（あるいはさらなる多層基板）を用いずに、片面基板を用いることによって低コスト化をはかることが特許文献１及び特許文献２に記載されている。しかしながら、磁界又は電磁界を効率よく受けるためには、ループコイルの開口面積を大きくとる必要があり、ループアンテナの開口部分は、部材としての基板が無駄となってしまうために片面基板を用いても、低コスト化には限界があるとの問題がある。
【０００９】
そこで、本発明は、このような実情に鑑みて提案されたものであり、ループアンテナの開口面積を確保することによって通信特性を維持しつつ、開口部分による基板のロスを少なくすることによってコスト増を抑制することが可能なアンテナ装置及び通信装置を提供することを目的とする。
【課題を解決するための手段】
【００１０】
上述した課題を解決するため、本発明の一実施の形態に係るアンテナ装置は、近距離無線通信用のアンテナ装置である。このアンテナ装置は、基板と、基板に形成されたループアンテナとを備える。そして、ループアンテナは、基板を貫通して形成された切れ目に沿って、切れ目を取り巻くように形成されており、基板が切れ目から展開されて形成される開口部を有する。
【００１１】
また、本発明の他の実施の形態に係るアンテナ装置の製造方法は、近距離通信用のアンテナ装置の製造方法であり、マザー基板を準備し、マザー基板にマザー基板を貫通する切れ目を形成し、切れ目に沿って切れ目を取り巻くようにアンテナコイルを形成し、アンテナコイルの外周に沿ってマザー基板を切断してアンテナコイルが形成された基板を有する展開前のアンテナ装置を形成し、展開前のアンテナ装置の切れ目から切り開くように基板を展開する。
【発明の効果】
【００１２】
本発明の一実施の形態に係るアンテナ装置では、基板に形成された切れ目から折り返すように展開するので、アンテナの開口面積を増大させ、通信特性を確保することができる。
【００１３】
また、本発明の他の実施の形態に係るアンテナ装置の製造方法では、アンテナ装置が、基板に形成された切れ目から折り返すように展開されるので、アンテナの開口面積を増大させ、通信特性を確保することができる。
【００１４】
さらに、マザー基板に複数のアンテナコイルを形成し、隣接するアンテナコイルを千鳥状に配置することによって、マザー基板当たりでより多くのアンテナモジュールを形成することができる。
【図面の簡単な説明】
【００１５】
【図１】本発明が適用されたアンテナ装置及び通信装置が組み込まれた無線通信システムの構成について説明するための図である。
【図２】本発明の一実施の形態に係るアンテナ装置の構成例を示す平面図である。（Ａ）は、アンテナとして使用することができる展開後の平面図であり、（Ｂ）は、展開前の平面図である。
【図３】本発明の一実施の形態に係るアンテナ装置の構成の変形例を示す平面図である。（Ａ）は、アンテナとして使用することができる展開後の平面図であり、（Ｂ）は、展開前の平面図である。
【図４】本発明が適用されたアンテナ装置の折り目部の導線のパターン及び基板の形状例を示す平面図である。（Ａ）は、展開前のループアンテナの折り目部の１つを示す平面図である。（Ｂ）及び（Ｃ）は、折り目部において導線のパターン幅を変更することによって折り曲げやすくする場合、（Ｄ）及び（Ｅ）は、折り目部において基板に切れ目を追加することによって折り曲げやすくする場合の例を示す部分拡大された平面図である。
【図５】アンテナ装置の屈曲部の導線のパターン及び基板の形状の変形例を示す平面図である。（Ａ）は、図４（Ｂ）及び図４（Ｄ）を組み合わせた場合、（Ｂ）は、図４（Ｃ）及び図４（Ｄ）を組み合わせた場合、（Ｃ）は、図４（Ｂ）及び図４（Ｅ）を組み合わせた場合、（Ｄ）は、図４（Ｃ）及び図４（Ｅ）を組み合わせた場合の例を示す部分的に拡大された平面図である。
【図６】本発明が適用されたアンテナ装置の製造方法の工程の１つを説明するための平面図である。
【発明を実施するための形態】
【００１６】
以下、本発明を実施するための形態について、図面を参照しながら詳細に説明する。なお、本発明は、以下の実施の形態のみに限定されるものではなく、本発明の要旨を逸脱しない範囲内において種々の変更が可能であることはもちろんである。
【００１７】
本発明が適用された通信装置は、電子機器に組み込まれ、発信器から発信される磁界を受けて通信可能となる装置であって、たとえば、図１に示すようなＲＦＩＤ（Radio Frequency Identification）用の無線通信システム１００に組み込まれて使用される。
【００１８】
無線通信システム１００は、通信装置１と、通信装置１にアクセスするリーダライタ１２０とを備える。ここで、通信装置１とリーダライタ１２０とは、三次元直交座標系ｘｙｚのｘｙ平面において互いに対向するように配置される。
【００１９】
リーダライタ１２０は、ｘｙ平面において互いに対向する通信装置１に対して、ｚ軸の正方向に磁界を発信する発信器として機能し、具体的には、通信装置１に向けて磁界を発信するアンテナ１２１と、アンテナ１２１を介して誘導結合される通信装置１と通信を行う制御基板１２２とを備える。
【００２０】
リーダライタ１２０は、アンテナ１２１と電気的に接続された制御基板１２２を有している。この制御基板１２２には、１つ又は複数の集積回路チップ等の電子部品からなる制御回路が実装されている。この制御回路は、通信装置１から受信されたデータに基づいて、各種の処理を実行する。たとえば、制御回路は、通信装置１に対してデータを送信する場合、データを符号化し、符号化したデータに基づいて、所定の周波数（たとえば、１３．５６ＭＨｚ）の搬送波を変調し、変調した変調信号を増幅し、増幅した変調信号でアンテナ１２１を駆動する。また、制御回路は、通信装置１からデータを読み出す場合、アンテナ１２１で受信されたデータの変調信号を増幅し、増幅したデータの変調信号を復調し、復調したデータを復号する。なお、制御回路では、一般的なリーダライタで用いられる符号化方式及び変調方式が用いられ、たとえば、マンチェスタ符号化方式やＡＳＫ（振幅シフトキーイング、Amplitude Shift Keying）変調方式が用いられている。
【００２１】
通信装置１は、たとえばリーダライタ１２０とｘｙ平面において対向するように配置される携帯電話機１３０の筐体の内部に組み込まれ、誘導結合されたリーダライタ１２０との間で通信可能となるアンテナコイル３が形成されたアンテナ基板２を有するアンテナモジュール１０を備える。
【００２２】
アンテナモジュール１０のアンテナ基板２の一面には、たとえばフレキシブルフラットケーブルなどの可撓性の導線をパターニング処理などすることによって形成されるアンテナコイル３が形成される。アンテナコイル３が形成されたアンテナモジュール１０は、たとえば携帯電話機１３０の筐体内の基板に搭載された通信処理部（図示せず）等とフレキシブルフラットケーブル等によって電気的に接続される。なお、通信処理部は、アンテナモジュール１０内に搭載するようにしてもよい。
【００２３】
アンテナコイル３は、リーダライタ１２０から発信される磁界を受けると、リーダライタ１２０と誘導結合することによって磁気的に結合され、変調された電磁波を受信して、受信信号を携帯電話機１３０本体側の送受信のための通信処理部に供給する。通信処理部では、アンテナコイル３に流れる電流により駆動し、リーダライタ１２０との間で通信を行う。より具体的には、通信処理部は、受信された変調信号を復調し、復調したデータを復号して、復号したデータを、通信処理部の指示に基づいて内部メモリに書き込む。また、通信処理部は、リーダライタ１２０に送信するデータを内部メモリから読み出し、読み出したデータを符号化し、符号化したデータに基づいて搬送波を変調し、誘導結合によって磁気的に結合されたアンテナコイル３を介して変調された電波をリーダライタ１２０に送信する。
【００２４】
［アンテナモジュールの構成］
本発明の一実施例に係るアンテナモジュール１０，１０ａは、アンテナコイル３が一方の面に形成されたアンテナ基板２をあらかじめ形成された切れ目から折り目に沿って展開することによってアンテナモジュール１０として用いることができる。展開後のアンテナモジュール１０の平面図を図２（Ａ）に示し、展開前のアンテナモジュール１０ａの平面図を図２（Ｂ）に示す。
【００２５】
アンテナモジュール１０は、図２（Ａ）に示すように、アンテナ基板２と、アンテナ基板２の一方の面に形成されたアンテナコイル３とを備え、アンテナコイル３により取り囲まれる開口部１５を有する。アンテナ基板２は、可撓性の材料により形成されており、好ましくはフレキシブルプリント基板である。アンテナ基板２には、図２（Ｂ）に示すように、アンテナ基板２を貫通する切れ目があらかじめ形成されている。すなわち、アンテナ基板２には、第１の切れ目１１が形成され、第１の切れ目１１にほぼ直角となる方向に、第１の切れ目１１のほぼ中央に一方の端が形成される第２の切れ目１２が形成され、第１の切れ目にほぼ平行に、第１の切れ目１１と両端がほぼそろうように、第２の切れ目１２の他方の端が形成される第３の切れ目１３が形成される。アンテナコイル３は、アンテナ基板２上を周回するように形成されたループアンテナであり、好ましくは、フレキシブルプリント基板上に形成された配線パターンにより形成される。そして、アンテナコイル３は、第１〜第３の切れ目１１〜１３の周囲を周回するように形成される。なお、通信処理部等の外部回路に接続するための端子は、アンテナコイル３の両端で任意の位置に形成すればよい。
【００２６】
アンテナモジュール１０は、第１〜第３の切れ目１１〜１３からアンテナ基板２を展開して開口部１５を形成することによって構成される。より具体的には、アンテナモジュール１０は、第１の切れ目１１の両端近傍に第１及び第２の折り目６ａ，７ａと、第３の切れ目１３の両端近傍に第３及び第４の折り目６ｂ，７ｂとを有している。アンテナモジュール１０を形成するために、第１の折り目６ａ及び第３の折り目６ｂに沿って、アンテナコイル３が形成されたアンテナ基板２を折り返すようして展開し、同様に、第２の折り目７ａ及び第４の折り目７ｂに沿って、アンテナ基板２を展開する。第１の切れ目１１に沿うアンテナ基板２の端部４ａ、第２に切れ目１２に沿うアンテナ基板の端部４ｂ、及び第３の切れ目１３に沿うアンテナ基板２の端部４ｃは、アンテナモジュール１０の外側に向くように展開される。同様に、第１の切れ目１１の沿うアンテナ基板の端部５ａ、第２に切れ目１２に沿うアンテナ基板の端部５ｂ、及び第３の切れ目１３に沿うアンテナ基板２の端部５ｃも、アンテナモジュール１０の外側に向くように展開される。このようにしてアンテナ基板２が展開されたアンテナモジュール１０は、ループアンテナとしての開口部１５の開口面積が確保され、通信特性が確保される。
【００２７】
［アンテナモジュールの構成の変形例］
図３（Ａ）及び図３（Ｂ）は、本発明が適用されたアンテナモジュールの変形例を示す平面図である。図２（Ａ）及び図２（Ｂ）と異なるのは、図３（Ｂ）に示すように、アンテナモジュール２０ａは、第１の切れ目３１及び第３の切れ目３３が第２の切れ目３２とほぼ同じ長さを有している点である。アンテナコイル２３は、アンテナ基板２２上で、第１〜第３の切れ目３１〜３３の周囲を周回するように形成されるので、図３（Ａ）に示すようにアンテナ基板２２を展開することによって形成されるアンテナモジュール２０の開口部３５は、図２（Ａ）のアンテナモジュール１０の場合に比べてより広い開口面積を実現することができる。このように、第１〜第３の切れ目の長さを長くすればするほど、アンテナモジュールの開口部の開口面積を広くすることができるので、第１〜第３の切れ目の長さを適切に設定することによって、アンテナモジュールの所望の開口面積を設定することができる。
【００２８】
［他の変形例］
上述したように、第１〜第４の折り目６ａ，６ｂ，７ａ，７ｂにおいてアンテナ基板２を折り返すように展開することによって、アンテナモジュール１０の開口部１５の開口面積をかせぐことが可能であるが、アンテナ基板２は、たとえばポリイミド製基板であり、アンテナコイル３は、ＣｕやＡｌ等の金属箔を基板に貼付することによって形成されるものであるから、第１〜第４の折り目６ａ，６ｂ，７ａ，７ｂにおいて折り返すのが困難、あるいは折り返し位置がずれる等の問題を生じ得る。そこで、第１〜第４の折り目６ａ，６ｂ，７ａ，７ｂの位置に折り曲げやすい構造を採用することが有用である。
【００２９】
図４（Ａ）は、展開前のアンテナモジュール１０ａのうち折り目の位置（破線円内Ａ）を示す平面図である。図４（Ｂ）〜図４（Ｅ）は、折り目の位置におけるアンテナ基板２及びアンテナコイル３の構成を示す部分拡大図である。
【００３０】
図４（Ｂ）〜図４（Ｅ）に示すように、第１〜第４の折り目６ａ，６ｂ，７ａ，７ｂ（図では、第２の折り目７ａを代表として示しているが、他の折り目についても図示するまでもなく同様である。）の位置で、アンテナコイル３の配線幅を変更し（図４（Ｂ）及び図４（Ｃ））、あるいは、アンテナ基板２を貫通するスリット若しくは切欠を形成する。
【００３１】
より具体的には、図４（Ｂ）に示すように、アンテナコイル３の配線幅３ａを折り目７ａの位置よりも切れ目側では太く、配線幅３ｂを折り目７ａの位置よりもアンテナ基板２側では配線幅３ａよりも細くなるように設定する。配線幅をあまり細くするとアンテナコイル３の直流抵抗が上昇するので、図４（Ｃ）に示すように、折り目７ａの位置の部分だけを細い配線幅３ｂに設定するようにしてもよい。
【００３２】
また、図４（Ｄ）に示すように、アンテナコイル３が形成されていないアンテナ基板２の一部に、折り目７ａの位置に合せてアンテナ基板２を貫通するようにスリット２ａ，２ａを形成してもよい。図４（Ｅ）に示すように、アンテナコイル３の配線領域の近傍がアンテナ基板２の端部に近い場合には、切欠２ｂ，２ｂを形成するようにしてもよい。
【００３３】
さらに、折り目の位置におけるアンテナ基板２及びアンテナコイル３の構成について、上述した構成を組み合わせて用いてもよい。図５（Ａ）には、太い配線幅３ａを有するアンテナコイル３と細い配線幅３ｂを有するアンテナコイル３との接続位置と折り目７ａの位置を合わせた配線パターンと、折り目７ａの位置にスリット２ａ，２ａとを組み合わせた構成例を示す。図５（Ｂ）には折り目７ａの位置のみ細い配線幅３ｂを採用し、アンテナ基板２のスリット２ａ，２ａと組み合わせた構成例を示す。さらに、図５（Ｃ）及び図５（Ｄ）には、アンテナコイル３の配線幅を変化させる構成と、アンテナ基板２に切欠２ｂ，２ｂを形成する構成との組み合わせた構成例を示す。
【００３４】
なお、上述において、アンテナコイル３の配線幅は、アンテナモジュール１０の通信特性を含む諸特性を劣化させない程度で任意に設定することができるのはいうまでもない。また、アンテナ基板２に形成するスリットや切欠は、長方形状に限らず、長円状、楕円状等であってもよく、複数の貫通孔を配列するようにしてもよい。なお、これらスリット等は、必ずしも貫通するように形成されていなくてもよく、アンテナ基板２の材質等に応じて非貫通穴であってもよい。
【００３５】
［アンテナモジュールの製造方法］
本発明が適用された一実施の形態に係るアンテナモジュールでは、複数のアンテナモジュールを形成するマザー基板上により多くのアンテナモジュールを構成することができる。
【００３６】
本発明の一実施の形態に係るアンテナモジュールを製造するために、所定の大きさのマザー基板２ａを用意する。マザー基板２ａは、最終的には個々のアンテナモジュールごとに切断されて、アンテナモジュールを切り出すため、アンテナモジュール１０のアンテナ基板２と同一の材料で形成される。すなわち、マザー基板２ａは、たとえば、ポリイミド基材により形成される。
【００３７】
用意されたマザー基板２ａの所定の位置に第１〜第３の切れ目１１〜１３を形成する。
【００３８】
第１〜第３の切れ目１１〜１３が形成されたマザー基板２ａの一方の面に、展開前のアンテナモジュール１０ａを形成するために、アンテナコイル３を第１〜第３の切れ目１１〜１３の周囲に周回するように形成する。マザー基板２ａ上にアンテナコイル３を形成するには、たとえばポリイミド基材の表面にＣｕメッキを施し、アンテナコイル３の形状を残すようなマスキングを行った後に不要なＣｕメッキ部をエッチングする等の周知の方法を用いることができる。
【００３９】
アンテナコイル３が形成されたマザー基板２ａを、アンテナコイル３の外周に沿って切断し、アンテナモジュール１０を切り出す。
【００４０】
なお、第１〜第３の切れ目１１〜１３を形成する工程と、アンテナモジュールを切り出す工程を同時に実行することによって、工程数を削減することができる。
【００４１】
アンテナコイル３の形成及び切れ目１１〜１３の形成を行う場合に、図６に示すように、マザー基板２ａには、複数の切れ目と複数のアンテナコイル３とによって画定される複数の展開前のアンテナモジュールが形成される。それぞれのアンテナコイル３は、第２の切れ目１２が互いにほぼ平行になるように、また、隣接するアンテナコイル３の第１及び第３の切れ目１１，１３同士が千鳥状に配置される。このようにアンテナコイル３を配置することによって、隣接するアンテナコイル３の離間距離を短縮することができる。隣接するアンテナコイル３の離間距離を短縮することによって、マザー基板２ａの単位面積当たりに形成することができる展開前のアンテナモジュールの数を増大させることができる。
【００４２】
展開前のアンテナモジュールをマザー基板に千鳥状に配置して、効率よくアンテナモジュールを形成することができるとともに、形成されたアンテナモジュールを展開することによってアンテナの開口面積を拡大し、アンテナの通信特性を確保することができる。
【符号の説明】
【００４３】
１  通信装置、２，２２  アンテナ基板、３，２３  アンテナコイル、４ａ〜５ｃ，２４ａ〜２５ｃ  アンテナ基板の端部、６ａ〜７ｂ，２６ａ〜２７ｂ  折り目、１０，１０ａ，２０，２０ａ  アンテナモジュール、１１〜１３  切れ目、１００  無線通信システム、１２０  リーダライタ、１２１  アンテナ、１２２  制御基板、１３０  携帯電話機
【図１】
2015046705.tif 000003
【図２】
2015046705.tif 000004
【図３】
2015046705.tif 000005
【図４】
2015046705.tif 000006
【図５】
2015046705.tif 000007
【図６】
2015046705.tif 000008